(57)【特許請求の範囲】
【請求項１】
上方が開口され側壁に複数のレンズ孔が設けられたロアーケースと、このロアーケースの開口を覆うアッパーケースと、複数のＬＥＤが実装され前記ロアーケースに支持されるプリント基板と、前記各ＬＥＤから発光された光を個々に導光する複数の導光体、この導光体間を連結する連結体、前記レンズ孔から露呈されるレンズ部が一体に形成されたＬＥＤ用レンズとを備えたＬＥＤ用レンズの取付構造において、
前記ロアーケースに、前記複数の導光体間に位置付けられ前記プリント基板まで延設され当該プリント基板の表面に当接する複数の光遮蔽片を一体に設け、
前記ロアーケースに、前記各導光体が係入され前記ＬＥＤ用レンズの左右方向の移動を規制する第１溝が形成された第１リブを設け、
前記光遮蔽片に、前記連結体が係入され前記ＬＥＤ用レンズの前後方向の移動を規制する第２溝を設け、
前記アッパーケースに、前記連結体に当接し、前記ＬＥＤ用レンズの前記第１溝および第２溝からの抜けを規制する規制部が設けられた第２リブを前記レンズ孔に対応させて設けたことを特徴とするＬＥＤ用レンズの取付構造。
【請求項２】
前記ロアーケースに、前記プリント基板を支承する支承用ボスを設け、
前記アッパーケースに、前記プリント基板の表面に当接する当接用ボスを設け、
前記プリント基板の一端側を前記光遮蔽片の下方に挿入した状態で、前記ロアーケースと前記アッパーケースとを結合することにより、当該プリント基板の他端側を前記支承用ボスと前記当接用ボスとで挟持することを特徴とする請求項１記載のＬＥＤ用レンズの取付構造。
【発明の詳細な説明】
【技術分野】
【０００１】
本発明は、ＬＥＤから発光された光を導出するＬＥＤ用レンズの取付構造に関するものである。
【背景技術】
【０００２】
従来のＬＥＤ用レンズの取付構造としては、レンズ嵌合用リブが設けられた上ケースと、プリント基板が取り付けられる下ケースと、連結部材によって所定の間隔をおいて連結されたＬＥＤ用レンズとを備え、上端をレンズ嵌合用リブに嵌合させたＬＥＤ用レンズの下端をプリント基板の上面に当接させ、この状態でプリント基板を下ケースにねじ止めすることにより、ＬＥＤ用レンズを上ケースと下ケースとで挟持するものがある（例えば、特許文献１参照）。
【先行技術文献】
【特許文献】
【０００３】
【特許文献１】特開２０００−２８６５６８号公報（段落〔０００９〕〜〔００１１〕、図１〜図１３）
【発明の概要】
【発明が解決しようとする課題】
【０００４】
上述したようなＬＥＤ用レンズの取付構造においては、上ケースに設けられたレンズ嵌合用リブは、レンズの上端部の一部を覆うだけものであり、隣接するＬＥＤ間を遮断するものではないから、ＬＥＤから直接発光された光が隣のレンズ側に漏れるのを防止することはできないという問題があった。また、ＬＥＤ用レンズの取付けに当たっては、上端を上ケースのレンズ嵌合用リブに嵌合させ、下端をプリント基板に当接させることによりレンズを保持した状態で、当該プリント基板を下ケースのボスにねじ止めするため作業性が悪いという問題もあった。
【０００５】
本発明は上記した従来の問題に鑑みなされたものであり、その目的は、ＬＥＤから発光された光の隣接するレンズへの漏れを防止するとともに、取付けの作業性を向上させることにある。
【課題を解決するための手段】
【０００６】
この目的を達成するために、本発明は、上方が開口され側壁に複数のレンズ孔が設けられたロアーケースと、このロアーケースの開口を覆うアッパーケースと、複数のＬＥＤが実装され前記ロアーケースに支持されるプリント基板と、前記各ＬＥＤから発光された光を個々に導光する複数の導光体、この導光体間を連結する連結体、前記レンズ孔から露呈されるレンズ部が一体に形成されたＬＥＤ用レンズとを備えたＬＥＤ用レンズの取付構造において、前記ロアーケースに、前記複数の導光体間に位置付けられ前記プリント基板まで延設され当該プリント基板の表面に当接する複数の光遮蔽片を一体に設け、前記ロアーケースに、前記各導光体が係入され前記ＬＥＤ用レンズの左右方向の移動を規制する第１溝が形成された第１リブを設け、前記光遮蔽片に、前記連結体が係入され前記ＬＥＤ用レンズの前後方向の移動を規制する第２溝を設け、前記アッパーケースに、前記連結体に当接し、前記ＬＥＤ用レンズの前記第１溝および第２溝からの抜けを規制する規制部が設けられた第２リブを前記レンズ孔に対応させて設けたものである。
【０００８】
本発明は、前記発明のいずれか一つの発明において、前記ロアーケースに、前記プリント基板を支承する支承用ボスを設け、前記アッパーケースに、前記プリント基板の表面に当接する当接用ボスを設け、前記プリント基板の一端側を前記光遮蔽片の下方に挿入した状態で、前記ロアーケースと前記アッパーケースとを結合することにより、当該プリント基板の他端側を前記支承用ボスと前記当接用ボスとで挟持するものである。
【発明の効果】
【０００９】
本発明によれば、光遮蔽片をプリント基板まで延設し、下面をプリント基板の表面に当接させたことにより、プリント基板に実装されたＬＥＤから発光された光が隣接したＬＥＤ用レンズに漏れるようなことがない。
【００１０】
前記発明のうちの一つの発明によれば、ＬＥＤ用レンズのレンズ部をロアーケースのレンズ孔に嵌合させ、導光体を第１溝に係入し、連結体を第２溝に係入することにより、ＬＥＤ用レンズがロアーケースに仮保持される。この状態で、ロアーケースとアッパケースとを結合する作業によって、同時にＬＥＤ用レンズをロアーケースに取り付けることができるから取付けの作業性が向上する。
【００１１】
前記発明のうちの一つの発明によれば、光遮蔽片の下方にプリント基板の一端側を挿入することにより、プリント基板が光遮蔽片と支承用ボスとによってロアーケースに仮保持され、この状態で、ロアーケースとアッパケースとを結合する作業によって、同時にプリント基板をロアーケースに取り付けることができるから取付けの作業性が向上する。
【図面の簡単な説明】
【００１２】
【図１】本発明に係るＬＥＤ用レンズの取付構造を実施した電子機器を分解して示す斜視図である。
【図２】本発明に係るＬＥＤ用レンズの取付構造を実施した電子機器のアッパーケースを裏返した状態の斜視図である。
【図３】本発明に係るＬＥＤ用レンズの取付構造を実施した電子機器のロアーケースにプリント基板とＬＥＤ用レンズを実装した状態の斜視図である。
【図４】本発明に係るＬＥＤ用レンズの取付構造を実施した電子機器の一部を破断して示す平面図である。
【図５】図４におけるV-V 線断面図である。
【図６】図４におけるVI-VI 線断面図である。
【図７】図４におけるVII-VII 線断面図である。
【図８】図４におけるVIII-VIII 線断面図である。
【図９】同図（Ａ）は本発明に係るＬＥＤ用レンズの平面図、同図（Ｂ）は同図（Ａ）におけるIX（Ｂ）矢視図である。
【発明を実施するための形態】
【００１３】
以下、本発明の実施の形態を図１〜図９に基づいて説明する。
【００１４】
図１に全体を符号１で示す電子機器の筺体は、上方が開口され開口部２を有するロアーケース３と、このロアーケース３の開口部２を覆うようにロアーケース３に取り付けられるアッパーケース４とを備える。ロアーケース３は、底板５とこの底板５の外周縁から立設された囲い壁６とによって形成されており、この囲い壁６の一部を構成する矢印Ａ方向側の側壁７の両端の上部には、一対のフック掛け部８，８が設けられている。また、側壁７には、後述するＬＥＤ用レンズ２５のレンズ部２８がロアーケース３の内側から嵌合されて外部に露呈される複数のレンズ孔９が矢印Ｃ−Ｄ方向に等間隔おいて設けられている。ロアーケース３の底板５の矢印Ａ方向側の端部には、プリント基板１０を支承する支承用ボス１１Ａ（図７参照）が立設されている。
【００１５】
また、ロアーケース３の底板５の矢印Ｂ方向側の端部には、プリント基板１０を支承し上部に小径部１１ｂが形成された支承用ボス１１Ｂ（図８参照）が立設されている。さらに、ロアーケース３の底板５には、これら支承用ボス１１Ａ，１１Ｂに支承されるプリント基板１０の幅方向（矢印Ｃ−Ｄ方向）の移動を規制する規制片１２、結合用ボス１３が一体に立設されている。プリント基板１０の矢印Ａ方向の端部には、複数のＬＥＤ１４が矢印Ｃ−Ｄ方向に等間隔おいて実装されている。
【００１６】
アッパーケース４は、図２に示すように上板１５とこの上板１５の外周縁から立設された囲い壁１６とによって下方が開口された開口部１７が形成されており、上板１５の矢印Ａ方向側の両端部には前記フック掛け部８，８に掛けられるフック部１８，１８が立設されている。また、このアッパーケース４の上板１５の矢印Ｂ方向の端部には、ねじ２１が挿通される孔が設けられたボス１９，１９および前記支承用ボス１１Ｂに支承されたプリント基板１０の表面に当接する当接用ボス２０，２０が立設されている。
【００１７】
このように構成されていることにより、このアッパーケース４のフック部１８をロアーケース３のフック掛け部８に掛け、このフック掛け部８を回動中心として回動させることにより互いの囲い壁６，１６の開口端を対接させる。次いで、図１に示すようにアッパーケース４のボス１９に挿通させたねじ２１をロアーケース３の結合用ボス１３に螺合させることにより、互いの開口部２，１７が閉塞されるように両ケース３，４が結合され、電子機器１の筺体が形成される。
【００１８】
図９に全体を符号２５で示すＬＥＤ用レンズは、ＬＥＤ１４から発光された光を一端の光導入面２６ａから導入し、導入された光を全反射させながら導光させ他端の導出面２６ｂから導出する側面視逆Ｌ字状で断面が矩形状に形成された複数の導光体２６と、これら複数の導光体２６を等間隔おいて一列に配置するように連結する細長い角柱状に形成された連結体２７と、前記導光体２６の導出面２６ｂに接合されレンズ孔９から外部に露呈されるレンズ部２８とによって一体に形成されている。
【００１９】
ロアーケース３の側壁７の内側には、図１に示すようにプリント基板１０に実装され互いに隣接するＬＥＤ１４間に位置する光遮蔽片３０が側壁７と直交する方向に複数個突設されており、この光遮蔽片３０の下面は、図７に示すようにロアーケース３に搭載されたプリント基板１０の表面まで延設され当該プリント基板１０の表面に当接する当接面３０ａを形成している。また、この光遮蔽片３０の上部には、ＬＥＤ用レンズ２５の連結体２７が係入される上方が開口した第２溝３０ｂが設けられている。したがって、連結体２７が第２溝３０ｂに係入されると、ＬＥＤ用レンズ２５は、前後方向（矢印Ａ−Ｂ方向）の移動が規制される。
【００２０】
ロアーケース３の底板５の側壁７に近接した部位には、各光遮蔽片３０間を連結するように第１リブ３１が側壁７と平行に立設されている。この第１リブ３１の上部には、ＬＥＤ用レンズ２５の各導光体２６が係入される上方が開口した第１溝３１ａが、各レンズ孔９に対応して複数個設けられている。したがって、各導光体２６が第１溝３１ａに係入されると、ＬＥＤ用レンズ２５は、左右方向（矢印Ｃ−Ｄ方向）の移動が規制される。
【００２１】
アッパーケース４の上板１５の裏面であって矢印Ａ方向の端部には、各レンズ孔９に対応して（各第１溝３１ａに対応して）第２リブ３３が、囲い壁１６と直交する方向に突設するように矢印Ｃ−Ｄ方向に等間隔おいて立設されている。この第２リブ３３の下部には、図６に示すように第１溝３１ａに導光体２６が係入され、かつ図７に示すように第２溝３０ｂに連結体２７が係入されたＬＥＤ用レンズ２５の連結体２７の上部に係合し、ＬＥＤ用レンズ２５の上方への移動（導光体２６の第１溝３１ａからの抜けおよび連結体２７の第２溝３０ｂからの抜け）を規制する第１規制部３３ａが設けられている。
【００２２】
また、この第２リブ３３の下部には、図６に示すように第１溝３１ａに導光体２６が係入され、かつ図７に示すように第２溝３０ｂに連結体２７が係入されたＬＥＤ用レンズ２５の連結体２７の後部（矢印Ｂ方向端部）に係合し、ＬＥＤ用レンズ２５の後方への移動を規制する第２規制部３３ｂが第１規制部３３ａに連設されている。
【００２３】
次に、このように構成された電子機器１において、プリント基板１０およびＬＥＤ用レンズ２５の組付け方法について説明する。先ず、ＬＥＤ１４が実装されたプリント基板１０を水平状態から傾斜させ、矢印Ａ方向側の端部を斜め上方から光遮蔽片３０の当接面３０ａの下方に差し入れ、図７に示すように水平状態とすることにより、プリント基板１０の矢印Ａ方向側の端部を支承用ボス１１Ａに載置する。同時に、プリント基板１０の矢印Ｂ方向側の端部を、図８に示すように支承用ボス１１Ｂの小径部１１ｂにプリント基板１０に設けた孔１０ａを嵌入させた状態で、支承用ボス１１Ｂに支承する。この状態で、プリント基板１０は、光遮蔽片３０および支承用ボス１１Ａ，１１Ｂによってロアーケース３に位置決めされて仮保持される。
【００２４】
次に、ＬＥＤ用レンズ２５を、図１に示すように導光体２６の光導入面２６ａが下方を指向するように把持し、ロアーケース３の開口部２からロアーケース３内に差し入れる。次いで、各レンズ部２８をレンズ孔９のそれぞれに嵌合させるとともに、各導光体２６を第１リブ３１の第１溝３１ａに係入させ、連結体２７を光遮蔽片３０の第２溝３０ｂに係入させることにより、ＬＥＤ用レンズ２５をロアーケース３に仮保持する。
【００２５】
この状態で、アッパーケース４のフック部１８をロアーケース３のフック掛け部８に掛け、このフック掛け部８を回動中心としてアッパーケース４を回動させることにより、両ケース３，４の互いの囲い壁６，１６の開口端を対接させる。次いで、図１に示すようにアッパーケース４のボス１９に挿通させたねじ２１をロアーケース３の結合用ボス１３に螺合させることにより、互いの開口部２，１７が閉塞されて両ケース３，４が結合され、電子機器１の筺体が形成される。
【００２６】
両ケース３，４が結合されることにより、図８に示すようにプリント基板１０の矢印Ｂ方向側の端部が支承用ボス１１Ｂと当接用ボス２０とに挟持され、プリント基板１０はロアーケース３の所定の位置に取り付けられる。このように、予め、プリント基板１０をロアーケース３に仮保持させて状態とし、しかる後、両ケース３，４の結合作業と同時にロアーケース３に取付けるようにしたことにより作業性が向上する。
【００２７】
また、両ケース３，４が結合されることにより、図６に示すように第２リブ３３の第１期生部３３ａがＬＥＤ用レンズ２５の連結体２７の上部に係合するため、ＬＥＤ用レンズ２５の上方への移動（導光体２６の第１溝３１ａからの抜けおよび連結体２７の第２溝３０ｂからの抜け）を規制されて、ＬＥＤ用レンズ２５がロアーケースに取り付けられる。このように、予め、ＬＥＤ用レンズ２５が第１溝３１ａおよび第２溝３０ｂに仮保持された状態とし、しかる後、両ケース３，４の結合作業と同時にロアーケース３に取付けるようにしたことにより作業性が向上する。
【００２８】
また、両ケース３，４を結合すると、光遮蔽片３０の当接面３０ａがプリント基板１０の表面に当接するから、図７に示すようにこの光遮蔽片３０によってＬＥＤ用レンズ２５の互いに隣接する導光体２６間が遮蔽されるため、プリント基板１０に実装されたＬＥＤ１４から発光された光が隣接したＬＥＤ用レンズ２５に漏れるようなことがない。
【符号の説明】
【００２９】
３…ロアーケース、４…アッパーケース、７…側壁、１０…プリント基板、１１Ａ，１１Ｂ…支承用ボス、１４…ＬＥＤ、２０…当接用ボス、２５…ＬＥＤ用レンズ、２６…導光体、２７…連結体、２８…レンズ部、３０…光遮蔽片、３０ａ…当接面、３０ｂ…第２溝、３１…第１リブ、３１ａ…第１溝、３３…第２リブ、３３ａ…第１規制部、３３ｂ…第２規制部。
【図１】
0005615758.tif 000002
【図２】
0005615758.tif 000003
【図３】
0005615758.tif 000004
【図４】
0005615758.tif 000005
【図５】
0005615758.tif 000006
【図６】
0005615758.tif 000007
【図７】
0005615758.tif 000008
【図８】
0005615758.tif 000009
【図９】
0005615758.tif 000010